(57)【要約】本発明は、上層と、上層を基準層から距離Ｄの位置に配置するために設けられた距離手段と、を備えた、ティーオフゴルフマットに関する。ゴルフマットの上層は、ゴルフボールをティーオフするためのプラットフォームを提供している。上層の少なくとも一部分は、ティーオフの際にマットに力がかかるときに、ゴルフマットの高さ方向において弾性である。ゴルフマットの弾性は、磁力によってもたらされている。
2011518589.tif 000002
【特許請求の範囲】
【請求項１】
ティーオフゴルフマット（１）において、
上層（３）と、上層（３）を基準層（４）から距離Ｄの位置に配置するために設けられた距離手段（５）と、を備えており、
ゴルフマット（１）の上層（３）は、ゴルフボール（２）をティーオフするためのプラットフォームを提供しており、
上層（３）の少なくとも一部分は、ティーオフの際にマット（１）に力がかかるときに、ゴルフマット（１）の高さ方向において弾性であり、
ゴルフマット（１）の弾性部分が、ゴルフマット（１）の弾性を得るために、磁力を受けていることを、特徴としている、ゴルフマット。
【請求項２】
ティーオフゴルフマット（１）が、下層を、備えており、
下層は、基準層（４）として機能し、且つ、距離手段（５）に連結されている、
請求項１に記載のゴルフマット。
【請求項３】
磁力が、少なくとも第１磁石（６）及び第２磁石（７）を用いて、もたらされており、
上記磁石は、対向する位置で、ゴルフマット（１）の、それぞれ基準層（４）と上層（３）の向かい合う面に、取り付けられており、
第１磁石（６）と第２磁石（７）とは、互いに反発し合っている、
請求項１又は２に記載のゴルフマット。
【請求項４】
第１磁石（６）と第２磁石（７）との間の距離が、調整可能である、
請求項３に記載のゴルフマット。
【請求項５】
少なくとも第１磁石（６）及び／又は第２磁石（７）の磁場が、調整可能な大きさを有している、
請求項３又は４に記載のゴルフマット。
【請求項６】
少なくとも第１磁石（６）及び第２磁石（７）が、永久磁石である、
請求項３又は４に記載のゴルフマット。
【請求項７】
複数の対向する磁石（６、７）が、規則的な配列で、ゴルフマット（１）の基準層（４）及び上層（３）の向かい合う面に、取り付けられている、
請求項１〜６の内のいずれか１つに記載のゴルフマット。
【請求項８】
複数の対向する磁石（６、７）が、不規則に、ゴルフマット（１）の基準層（４）及び上層（３）の向かい合う面に、取り付けられている、
請求項１〜６の内のいずれか１つに記載のゴルフマット。
【請求項９】
ゴルフマット（１）の上層（３）が、プラスチック材料で作られている、
請求項１〜８の内のいずれか１つに記載のゴルフマット。
【請求項１０】
可撓性材料の層（８）が、距離手段（５）に対する上層（３）の動作を緩衝するために、ゴルフマット（１）の上層（３）と距離手段（５）との間に、配置されている、
請求項１〜９の内のいずれか１つに記載のゴルフマット。
【発明の詳細な説明】
【技術分野】
【０００１】
本発明は、ゴルフマットに関するものであり、そのゴルフマットは、上層と、上層を基準層から距離Ｄの位置に配置するために設けられた距離手段と、を備えており、ゴルフマットの上層は、ゴルフボールをティーオフするためのプラットフォームを提供しており、上層の少なくとも一部分は、ティーオフの際にマットに力がかかるときに、ゴルフマットの高さ方向において弾性を有している。
【背景技術】
【０００２】
ゴルフマットは、ゴルファーがティーオフの練習をするのに、しばしば使用される。これらのゴルフマットは、芝生、コンクリート、又は、その他のあらゆる地面に、置かれる。特に、ボールの中心を直接に打つのが比較的稀な、腕の劣るプレーヤーでは、ティーオフの際に、クラブが、ボールを打つだけでなく、ボールを打つ前後にゴルフマットも打つ、という問題が、発生する。高速でボールを打つ場合、ティーオフゴルフマットは、最小量の緩衝作用のみを提供するため、クラブは極度の負荷を受け、それは、クラブを持っている人へと伝わる。これにより、肘、肩、背中、及び、膝の、損傷が、しばしば引き起こされる。クラブによる非緩衝地面との接触は、クラブの損傷という高い危険性を有している。クラブの運動エネルギーのほぼ全部がゴルフマットに伝えられるため、ティーオフが不正確に行われた場合には、ゴルフマットの上層が切り取られることがある。結果、ゴルフマットは、磨耗を多く受け、早くに使用できなくなる。
【０００３】
上記問題を解決するために、ゴルフマットに一定量の可撓性を与える材料で、又は、その材料を組み合わせて、作られた、ゴルフマットが、開発されている。特開平８−１９３３０５号公報には、例えば、人工芝の層と本体との間に適用されている薄い不織布を備えた、ゴルフマットが、記載されており、その本体は、ゴム部分と泡粒子とを備えている。人工芝の層は、ゴルフボールがティーオフされるゴルフマットの上層を、形成している。これらの材料の組み合わせは、ゴルフマットを打つときの、一定のクッション効果と、クラブの運動エネルギーの部分的な吸収と、をもたらし、従って、クラブ及びプレーヤーが損傷する危険性を、減少させる。しかしながら、もたらされるクッション性の量、及び、それ故の運動エネルギー吸収量は、かなり少量であり、また、マットが一度取り付けられると、変更できない。しかも、ゴルフマットが頻繁に使用されると、ゴルフマットのクッション効果は、そのうちに減少してしまう。
【０００４】
他のゴルフマットは、緩衝効果を得るために、マットに固定された弾性ストラップ又は弾性糸を、使用している。例えば、独国特許公開第３０２２４６１号公報には、衝撃吸収層を備えたティーオフゴルフマットが、記載されており、そのゴルフマットは、間隔の離れた、上材料層部分と下材料層部分とを備えており、その層部分は、一本糸又は多重糸でできており、弾性のパイル糸によって互いに連結されている。しかしながら、クラブがゴルフマットを打つ毎に、弾性のパイル糸は、引き伸ばされる。この結果として、及び、これらのマットの頻繁な使用を考慮すると、弾性パイル糸の弾性は、迅速に減少し、ゴルフマットの緩衝効果は早いうちに減少する。
【先行技術文献】
【特許文献】
【０００５】
【特許文献１】特開平８−１９３３０５号公報
【特許文献２】独国特許公開第３０２２４６１号公報
【発明の概要】
【発明が解決しようとする課題】
【０００６】
公知のゴルフマットは、その弾性又は緩衝特性が、時間とともにすぐに減少するという、共通の不利点を、有している。
【０００７】
本発明の目的は、一定の弾性を備えたゴルフマットを提供することであり、長期にわたって弾性の優れた維持を提供する。
【課題を解決するための手段】
【０００８】
これは、請求項１の特徴部分の技術特性を示している、本発明のゴルフマットにより、達成される。
【０００９】
加えて、本発明のティーオフゴルフマットは、ゴルフマットの弾性部分が、ゴルフマットの弾性を得るために、磁力を受けていることを、特徴としている。
【００１０】
磁石は、２つの極である、北極及び南極を、有している。逆の極は引き付け合い、同じ極は反発し合う。２つの磁石の間の、引力又は反発力の計算は、一般的には、非常に複雑な作業であり、例えば、磁石の形状、磁化、配向性、及び磁石間の距離等の、種々の因子に依る。本発明のゴルフマットは、弾性ゴルフマットを得るために、上層の一部分に、磁力を作用させている。
【００１１】
本発明のゴルフマットは、上層と、上層を基準層から距離Ｄの位置に配置するために設けられた、距離手段と、を備えている。待機中、ボールは、ゴルフマットの上層の上面に置かれており、常に重力に相当する力を、ゴルフマットに及ぼしている。結果として、ゴルフボールによってゴルフマットの上層にかかる力の、垂直下向きの力成分Ｆｚは、以下の式で表すことができる。
【００１２】
【数１】
2011518589.tif 000003
【００１３】
ｍball：ゴルフボールの質量
ｍupper layer：上層の質量
ｇ：重力定数
【００１４】
本発明では、弾性は、可撓部分へかかる磁力によって、ゴルフマットの可撓部分に、与えられる。基準層に対する上層の配置を制御可能にするために、ゴルフマットの上層に作用する、磁力の垂直上向きの力成分Ｆmagn1は、Ｆｚと同等又はＦｚより大きくなるように、調整されている。すなわち、以下の式で表される。
【００１５】
【数２】
2011518589.tif 000004
【００１６】
Ｆmagn1は、基準層から距離Ｄにある上層に作用する磁力である。結果として、Ｆmagn1＝Ｆｚである場合、上層は、距離手段に対して、その上面の少なくとも一部に位置している。Ｆmagn1＞Ｆｚの場合、上層は、ゴルフマットの上層と基準層との間の距離Ｄを維持するのを確実にするために、距離手段に対して、その上面の少なくとも一部によって、押されている。
【００１７】
ゴルフボールがティーオフされるとき、追加の下向きの力が上層に加えられており、その追加された力の垂直下向き成分の大きさを、Ｆadd1と表す。結果、ティーオフ時において、ゴルフマットの上層に加えられた合計の力の垂直下向き成分は、以下の式で表される。
【００１８】
【数３】
2011518589.tif 000005
【００１９】
Ｆadd1は、ティーオフ時にクラブによってゴルフマットに加えられる力の垂直下向き成分である。この追加された力Ｆadd1の結果、ゴルフマットの上層は、基準層に向かって移動し、その瞬間から、上層に加えられる磁力の垂直上向き成分Ｆmagn1は、ＦｚとＦadd1との合計よりも小さくなる。すなわち、以下の式で表される。
【００２０】
【数４】
2011518589.tif 000006
【００２１】
基準層によって上層に加えられる上向きの磁力は、上層と基準層との間の距離が小さくなるにつれて増加するので、上層に加えられる磁力は、上層が基準層に向かって移動する間に増加する。基準層方向への上層の移動は、上層に作用する垂直上向きの磁力が、上層に作用する垂直下向きの力と等しくなる、距離に、制限される。この状態は、以下の式に表すことができ、例えば、上層が基準層から距離ｄの位置にあるとき、すなわち、上層が基準層に向かって一定の距離Ｄ−ｄを移動した後に、実現される。
【００２２】
【数５】
2011518589.tif 000007
【００２３】
Ｆmagn2：基準層から距離ｄにある上層に作用する磁力
Ｆadd2：ゴルフボールをティーオフした結果、上層が基準層に向かって距離Ｄ−ｄを移動した後に、上層に作用する垂直下向きの力
【００２４】
最終的に、磁力Ｆmagn2は、上層が基準層から距離Ｄの元の位置に戻るように作用する。
【００２５】
上層が、基準層に向かって下がり、そして元の位置に戻る、という移動工程は、ゴルフボールがティーオフされる度に、繰り返される。ゴルフボールをティーオフすることによってゴルフマットに力が作用されるとき、ゴルフマットの上層の少なくとも一部は、基準層に向かって下向きに移動し、ゴルフマットの上層の一部にかかる磁力の結果、再度押し上げられる。これにより、磁力は、ゴルフマットに、弾性特性を与える。ゴルフボールのティーオフは、ゴルフマットにかかる磁力に対し、全く影響しないので、ゴルフの弾性特性は、時がたっても減少しない。
【００２６】
更に、本発明は、ゴルフマットの弾性、すなわち、ティーオフ時にゴルフマットが撓む量が、上層にかかる磁力の大きさに、直接的に関連している。基準層から距離Ｄにある上層に作用する磁力が小さいほど、ゴルフマットの弾性特性は、大きくなる。実際に、基準層から距離Ｄにある上層にかかる磁力が、ゴルフボールを含む上層の重量と、ティーオフ時に上層にかかる追加の力と、の合計より、小さくなるとすぐに、すなわち以下の式に表される場合に、ゴルフマットは、ティーオフ時に撓む。
【００２７】
【数６】
2011518589.tif 000008
【００２８】
これは、Ｆmagn1が小さくなると、ティーオフ時に上層にかかる力が、ゴルフマットが撓むのに提供されて、小さくなることを、表している。したがって、弾性特性は、上層にかかる磁力の大きさを調整することによって、容易に調整することができる。
【００２９】
ゴルフマットの弾性部分の正確な位置は、固定されておらず、プレーヤー特有の必要性に合わせて変更できる。弾性は、ゴルフマットの弾性部分に作用する磁力によってもたらされるので、例えば、ゴルフマットの弾性部分の位置を変更するためには、磁力をもたらす磁石の位置を変更すれば、十分である。弾性部分の位置、及び、弾性の量は、ゴルフマットの取り付け後でも、又は、試合中においても、調整可能である。
【００３０】
更に、ゴルフマットの弾性部分の位置が容易に変更可能であるので、ゴルフマットの寿命を、実質的に長くできる。実際に、ほとんどのゴルフマットにおいて、ゴルフボールは、ゴルフマットの、最適緩衝効果をもたらすような場所に、常に置かれる。ほとんどの場合において、この位置は、ゴルフマットの中央部である。しかしながら、ゴルフマットの同じ場所がゴルフボールのティーオフに使用されるたびに、特定の場所が、たくさんの磨耗にさらされ、ゴルフマットの他の場所よりも早く、摩滅してしまう。結果、ゴルフマットの残りの部分が良好な状態であっても、特定の場所が摩滅するとすぐに、ゴルフマットは使用不可となり、廃棄しなくてはならない。本発明のゴルフマットの弾性部分の位置は変更できるので、ゴルフマットのあらゆる場所において、ゴルフボールをティーオフすることができる。ゴルフマットの特定の場所が摩滅した場合でも、ゴルフマットの他の場所が弾性になるように、磁力をもたらす磁石の位置を変更することができる。
【００３１】
基準層は、ゴルフマットの一部を形成しない外層、例えば、地表であってもよい。しかしながら、基準層は、ゴルフマットの一部を形成し、且つ、距離手段に連結された下層によって形成されていることが、好ましい。この場合、ゴルフマットの上層と基準層との間の距離は、ゴルフマットが取り付けられている地表の凹凸とは、独立している。それは、上層が、ゴルフマットの全長に沿って、基準層から距離Ｄのところに、配置されていることを、確定する。
【００３２】
ゴルフマットの弾性部分に作用する磁力は、ゴルフマットの上層の少なくとも一部が、ゴルフボールをティーオフする際に弾性であるように、配置された、磁石によって、もたらされる。これらの磁石は、当業者によって適切であるとみなされたあらゆる場所に、配置可能である。好ましくは、第１磁石は、基準層に取り付けられ、第２磁石は、上層に取り付けられる。この第１及び／又は第２磁石は、ゴルフマット本来の部分を形成でき、又は、ゴルフマットから取り外し可能にできる。
【図面の簡単な説明】
【００３３】
【図１】本発明のゴルフマットの断面図であり、第１及び第２磁石が規則的な配列で配置されている。
【発明を実施するための形態】
【００３４】
本発明は、図１において更に詳細に説明される。
【００３５】
図１は、本発明のゴルフマットの断面図であり、第１及び第２磁石が規則的な配列で配置されている。
【００３６】
ゴルフマット１は、上層３と、基準層４から距離Ｄの位置に上層３を配置するための距離手段５と、を備えている。
【００３７】
当業者によって適切であるとみなされた距離手段５は、どれも使用可能である。距離手段５は、例えば、単体部材であってもよく、又は、図１に示されるように、ゴルフマット１の長手方向の両側に設けられた２つ以上の部材からなってもよい。距離手段５は、当業者によって適切であるとみなされたあらゆる形状を有することができるが、好ましくは、図１に示されるように、基準層４に連結された垂直部分と、上層３の少なくとも一部に接触するように設けられた水平部分と、を備えたＬ形を、有している。
【００３８】
基準層４は、外層、例えば地表であってもよい。この場合、距離手段５と基準層４との間の連結は、Ｌ形の水平部分、結果的にはこの水平部分と接触している上層が、基準層４から距離Ｄの位置に配置されるように、例えば、Ｌ形の垂直部分を地中に押し込む又は打ち込むことにより、実行される。必要であれば、距離手段５が差し込まれる地面には、穴を設けてもよい。穴は、距離手段５の垂直部分の外ねじと協働する内ねじを、備えてもよい。距離手段５は、基準層４と一体に形成してもよく、又は、基準層４に取り外し可能に連結されてもよい。距離手段５を地中に深く又は浅く差し込むことによって、上層３と基準層４との間の距離を、変化させることができる。
【００３９】
好ましくは、ゴルフマット１は、図１に示されるように、基準層４として機能する下層を、備えている。距離手段５は、図１に示されるように、下層と一体に作られてもよい。又は、距離手段５と下層とは、別体に作られてもよく、それらは、ねじや、例えば協働するリブ及び溝のような補完的形態を備えた協働配置手段等の、連結手段によって、互いに連結される。下層は、その底面を地面に配置できる。あるいは、下層は、図１に示されるように、支持手段を備えることができる。支持手段は、地中に差し込まれてもよく、又は、地上に置かれてもよい。必要であれば、支持手段は、伸張可能に作ることができる。あるいは、距離手段５の垂直部分は、地中に又は地上に置くことができ、下層は、距離手段５の内面に連結してもよい。しかしながら、当業者によって適切であるとみなされたあらゆる手段は、距離手段５と下層とを連結するのに、使用してもよい。
【００４０】
試合を終えた後、プレーヤーは、ゴルフマット１の上層３のみを移動させ、距離手段５を地中に残すか、又は、下層及び支持手段と共に、距離手段５を地中／地上に残すか、を選択することができる。また、プレーヤーは、ゴルフマット１の全部品、すなわち、距離手段５と上層３と可能であれば下層とを、移動させることを選択できる。
【００４１】
磁力は、好ましくは、少なくとも第１磁石６及び第２磁石７を用いて、もたらされ、それらの磁石は、対向する位置で、ゴルフマット１の、それぞれ基準層４及び上層３の向かい合う面に、取り付けられており、第１磁石６と第２磁石７とは、互いに反発し合っている。
【００４２】
第１磁石６／第２磁石７は、基準層４／上層３と一体に形成でき、又は、基準層４／上層３に対して取り外し可能に連結されてもよい。後者の場合、以下の利点がある。第１に、ゴルフマット１の弾性は、第１磁石６及び／又は第２磁石７を変更することによって、容易に変更できる。第２に、ゴルフマット１は、磁石６、７の一方が損傷した場合又は交換が必要な場合でも、廃棄する必要がない。最後に、第１磁石６／第２磁石７の位置は、ゴルフマット１の弾性部分を変更するために、変更することができる。
【００４３】
ゴルフマット１の弾性は、第１磁石６と第２磁石７との間の距離を変化させることにより、調整することができる。第１磁石６と第２磁石７との間の距離が小さいほど、磁石は強く反発し、ゴルフマット１の弾性はより小さくなる。
【００４４】
図１に示されるように、距離は、第１磁石６を伸張可能にすることにより、変化させることができる。図１では、第１磁石６は、第１磁石６に連結されているねじを用いて、上方へ又は下方へ、ねじ込むことができる。しかしながら、第１磁石６と第２磁石７との間の距離を変化させるために、上方向又は下方向に第１磁石６を移動させるには、他のあらゆる手段が使用可能である。同様に、第２磁石７を伸張可能にしてもよく、又は、第１磁石６及び第２磁石７を伸張可能にしてもよい。第１磁石６と第２磁石７との間の位置を変化させるために、基準層／下層４を上方及び下方へ移動させるという、別の可能性もある。これは、特に、下層が距離手段５の対向する内面に連結し、距離手段５が地中／地上に置かれている場合に、又は、下層が地中／地上の支持手段を通って連結している場合に、可能である。上層３に対する下層の位置を変更することによって、第１磁石６と第２磁石７との間の距離を変更してもよい。
【００４５】
ゴルフマット１の弾性は、第１磁石６及び／又は第２磁石７の磁場の大きさを変化させることにより、調整することができる。第１磁石６及び／又は第２磁石７の磁場の大きさが大きいほど、磁石は強く反発し、ゴルフマット１の弾性は小さくなる。
【００４６】
永久磁石、すなわち固定磁場を持つ磁石を、使用する場合、ゴルフマットの弾性は、第１磁石６及び／又は第２磁石７を、異なる大きさの磁場を持つ１つ又は２つの他の磁石と取り替えることにより、調整することができる。第１磁石６及び／又は第２磁石７を１つ又は２つの他の磁石と取り替えることは、第１磁石６及び／又は第２磁石７が、ゴルフマット１の基準層４／上層３に取り外し可能に取り付けられている場合に、特に容易である。非永久磁石、すなわち調整可能な大きさの磁場を持つ磁石を、使用するという、他の可能性もある。
【００４７】
ゴルフマット１は、好ましくは、多数の対向する磁石を備えており、それらの磁石は、ゴルフマット１の基準層４及び上層３の向かい合う面に、取り付けられている。この構成では、ゴルフマット１は、異なる弾性部分を備えることができる。異なる部分の弾性は、変更してもよい。例えば、ゴルフマット１の中心部に、強い弾性部分を設け、ゴルフマット１の端部には、弱い弾性部分を設ける。これは、当業者により適切であると見なされたあらゆる方法で、実行可能である。これは、例えば、第１磁石６及び第２磁石７を、ゴルフマット１の中心部に多数設け、端部に少数設けることによって、実行できる。他には、ゴルフマット１の端部に設けられた第１磁石６及び第２磁石７と比較して、より大きな磁場を持つ第１磁石６及び／又は第２磁石７を、ゴルフマットの中心部に設けることにより、可能である。磁石は、不規則に又は規則的な配列で、配置でき、ゴルフマット１の弾性部分の位置を制御することができる。
【００４８】
上層３の材料は、ゴルフマット１に弾性を与えるものではないので、材料の種類は、ゴルフマット１の機能にとって、特に重要ではない。結果として、当業者によって適切であるとみなされた材料は、上層３に使用できる。好ましくは、ゴルフマット１の上層３は、プラスチック材料で作られており、なぜなら、そのようなプラスチック材料は、風化に対して、高い抵抗力を提供するからである。
【００４９】
ゴルフボールをティーオフするときに、ゴルフマット１の上層３は、基準層４に向かって移動し、その後、距離手段５へ戻される。距離手段５の損傷を回避するため、可撓性材料の層８が、ゴルフマットの上層と距離手段５との間に、距離手段５方向への上層３の動作を緩衝するために、好ましくは配置されている。これは、例えば、図１に示されている。
【図１】
2011518589.tif 000009
【国際調査報告】
2011518589.tif 000010
2011518589.tif 000011